【手続補正書】
【提出日】平成25年1月23日(2013.1.23)
【手続補正２】
【補正対象書類名】特許請求の範囲
【補正対象項目名】請求項１
【補正方法】変更
【補正の内容】
【請求項１】
熱可塑性合成樹脂と植物性材料と塩化合物を混練機で熱処理混練することを特徴とする木炭・ｐH緩衝調整剤混練樹脂塊である混練物の製造方法。
【手続補正３】
【補正対象書類名】特許請求の範囲
【補正対象項目名】請求項８
【補正方法】変更
【補正の内容】
【請求項８】
前記樹脂は、ポリプロピレン、ポリエチレン又はペットから選択される少なくとも１個以上の熱可塑性合成樹脂であることを特徴とする請求項１、２、３、４、５、６、又は７の何れか記載の木炭・ｐH緩衝調整剤混練樹脂塊である混連物の製造方法。
【手続補正４】
【補正対象書類名】特許請求の範囲
【補正対象項目名】請求項９
【補正方法】変更
【補正の内容】
【請求項９】
前記植物性材料は、麦藁、稲藁、籾殻、木屑、大鋸屑から選択される少なくとも１個以上の植物性材料であることを特徴とする請求項１、２、３、４、５、６、７又は８何れか記載の木炭・ｐH緩衝調整剤混練樹脂塊である混連物の製造方法
【手続補正５】
【補正対象書類名】特許請求の範囲
【補正対象項目名】請求項１０
【補正方法】変更
【補正の内容】
【請求項１０】
前記熱可塑性合成樹脂と前記植物性材料と前記塩化合物とを３００℃以上４００℃以内の温度条件下で混練した木炭・ｐH緩衝調整剤混練樹脂塊を破砕粉砕することを特徴とする請求項１乃至９何れか記載の木炭・ｐH緩衝調整剤混練樹脂塊から製造される木炭・ｐH緩衝調整剤混練粒状資材である混練物。
【手続補正６】
【補正対象書類名】特許請求の範囲
【補正対象項目名】請求項１１
【補正方法】変更
【補正の内容】
【請求項１１】
前記熱可塑性合成樹脂と前記植物性材料と前記塩化合物とを混練した木炭・ｐH緩衝調整剤混練樹脂塊である混練物を５ｍｍ以下に破砕・粉砕することを特徴とする請求項１０に記載の木炭・ｐH緩衝調整剤混練粒状資材である混練物。
【手続補正７】
【補正対象書類名】特許請求の範囲
【補正対象項目名】請求項１２
【補正方法】変更
【補正の内容】
【請求項１２】
前記熱可塑性樹脂がポリプロピレン、ポリエチレン又はペットの何れかを代表とする合成樹脂と前記植物性材料と前記塩化合物との混連物である木炭・ｐH緩衝調整剤混練樹脂塊を破砕・粉砕することを特徴とする請求項１０又は１１に記載の木炭・ｐH緩衝調整剤混練粒状資材である混練物の製造方法。
【手続補正８】
【補正対象書類名】特許請求の範囲
【補正対象項目名】請求項１３
【補正方法】変更
【補正の内容】
【請求項１３】
前記樹脂と、前記植物性材料と前記塩化合物とを３００℃以上４００℃以内の温度条件下で混練することを特徴とする木炭・ｐH緩衝調整剤混練樹脂塊である請求項１、２、３、４、５、６、７、８又は９の何れかに記載の混練物をエコアート形状物（植物育成用パネル・植物育成用鉢）として使用する成型混練物。
【手続補正９】
【補正対象書類名】特許請求の範囲
【補正対象項目名】請求項１４
【補正方法】変更
【補正の内容】
【請求項１４】
前記樹脂と、前記植物性材料と前記塩化合物との混練物を５ｍｍ以下に破砕・粉砕することを特徴とする請求項１０、１１又は１２の何れかに記載の木炭・ｐH緩衝調整剤混練粒状資材を植物育成用として使用する人工土壌粒状資材である混練物。
【手続補正１０】
【補正対象書類名】特許請求の範囲
【補正対象項目名】請求項１５
【補正方法】変更
【補正の内容】
【請求項１５】
前記樹脂と、前記植物性材料と前記塩化合物との混練物を３ｍｍ以上５ｍｍ以下に破砕することを特徴とする請求項１０、１１又は１２の何れかに記載の木炭・ｐH緩衝調整剤混練粒状資材を水の浄化目的で使用する水の粒状浄化材である混練物。
【手続補正１１】
【補正対象書類名】特許請求の範囲
【補正対象項目名】請求項１６
【補正方法】変更
【補正の内容】
【請求項１６】
前記樹脂と、前記植物性材料と前記塩化合物との混練物を３ｍｍ以上５ｍｍ以下に破砕することを特徴とする請求項１０、１１又は１２の何れかに記載の木炭・ｐH緩衝調整剤混練粒状資材である混練物を循環浄化池の循環水の防腐・浄化材として使用する方法。
【手続補正１２】
【補正対象書類名】特許請求の範囲
【補正対象項目名】請求項１７
【補正方法】変更
【補正の内容】
【請求項１７】
前記樹脂と、前記植物性材料と前記塩化合物との混練物を３ｍｍ以上５ｍｍ以下に破砕することを特徴とする請求項１０、１１又は１２の何れかに記載の木炭・ｐH緩衝調整剤混練粒状資材である混練物を住宅・建造物の地熱と太陽熱を利用した再生エネルギー空調装置温度調整水（冷媒）の防腐・浄化材として使用する方法。
【手続補正１３】
【補正対象書類名】特許請求の範囲
【補正対象項目名】請求項１８
【補正方法】変更
【補正の内容】
【請求項１８】
前記樹脂と、前記植物性材料と前記塩化合物との混練物を３ｍｍ以上５ｍｍ以下に破砕することを特徴とする請求項１０、１１又は１２何れかに記載の木炭・ｐH緩衝調整剤混練粒状資材である混練物を下水浄化槽と河川・湖沼の浄化処理工程において地熱再生エネルギーとバクテリア分解能と吸着性を利用した浄化剤として使用する方法。
【手続補正１４】
【補正対象書類名】特許請求の範囲
【補正対象項目名】請求項１９
【補正方法】変更
【補正の内容】
【請求項１９】
前記樹脂と、前記植物性材料と前記塩化合物との混練物を３ｍｍ以上５ｍｍ以下に破砕することを特徴とする請求項１０、１１又は１２の何れかに記載の木炭・ｐH緩衝調整剤混練粒状資材である混練物を放射能汚染水の浄化剤として使用する方法。
【手続補正１５】
【補正対象書類名】明細書
【補正対象項目名】００１７
【補正方法】変更
【補正の内容】
【００１７】
また更に、本発明が解決しようとする課題は、閉鎖系循環水の浄化の為の循環水の安価な浄化・吸着・ｐH調整基材を製造して、閉鎖系循環水の単純で安価で、水の窒素化合物（亜硝酸態窒素）濃度の上昇による富栄養化を抑えることで植物プランクトンの異常発生を抑えて、窒素系肥料（N）とリン系肥料（P）との濃度比が７：１のバランス域に近づくことを抑制し、水のｐHを７．０前後に安定させて、水の腐敗を抑制する浄化基材システムを構築することである。
【手続補正１６】
【補正対象書類名】明細書
【補正対象項目名】００４３
【補正方法】変更
【補正の内容】
【００４３】
本発明の木炭・ｐH緩衝調整剤混練粒状資材（図１のMS）には、通気性・保水性・吸着性とpＨ緩衝調整機能があり、この性格を利用して閉鎖系循環水（図１３、図１４、図１５、図１６）の浄化材として効果的に使用できる。これは該木炭・ｐH緩衝調整剤混練粒状資材（図１のMS）の前記植物性バイオマスである木屑・大鋸屑或いは麦藁・稲藁・籾殻等の炭化構成部分がアンモニア、有機物、藻類等を吸着して若しくはろ過して除去するとともに、バクテリアが生息する生物膜を形成し、吸着されたアンモニアや有機物等は亜硝酸体窒素の酸化浄化バクテリア（亜硝酸菌）によって分解することができる水の浄化システムを積極的に構築することを助けるからであると共に、該木炭・ｐH緩衝調整剤混練粒状資材（図１のMS）中に一緒に混連されている塩化合物が水のｐH緩衝調整の働きを担うからである。この時、該木炭混練粒状資材（図１のS）の粒状径は３mmから５mm程度の大きさに統一することが望ましい。炭酸カルシウム塩とリン酸カルシウム塩を添加混連した木炭・ｐH緩衝調整剤混練粒状資材（浄化基材MS）を用いて、水棲生物が生息している閉鎖型循環浄化槽（池）の水をｐH７．２、亜硝酸態窒素含有濃度０．１２ppm前後に一年以上安定維持できている。